【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
表示部と、
端末装置の所定の座標系における重力の方向を検出する重力方向検出部と、
前記表示部に平行な重力の検出方向の変化を検出する変化検出部と、
ユーザの顔の映像を撮影する撮像部と、
前記撮像部で撮影したユーザの顔の映像に基づいて、前記端末装置を基準としたユーザの顔の向きを判定する向き判定部と、
前記変化検出部による検出結果と前記向き判定部による判定結果に基づいて、前記表示部に表示された画像の表示の向きを制御する表示制御部と、
を備えることを特徴とする端末装置。
【請求項２】
前記向き判定部による判定結果が、前記端末装置を基準として前記ユーザの顔の向きが変化していると判定されたとき、前記画像の表示の向きを変更することを特徴とする請求項１に記載の端末装置。
【請求項３】
前記向き判定部による判定結果が、前記端末装置を基準として前記ユーザの顔の向きが変化していないと判定されたとき、前記画像の表示の向きを変更しないことを特徴とする請求項１に記載の端末装置。
【請求項４】
前記向き判定部が前記ユーザの顔の認識に成功しなかった場合、前記撮像部の動作を停止することを特徴とする請求項１に記載の端末装置。
【請求項５】
前記向き判定部が前記ユーザの顔の認識に成功しなかった場合、前記表示制御部は、前記変化検出部による検出結果と前記向き判定部による判定結果に基づいた、前記画像の表示の向きを制御しないことを特徴とする請求項１に記載の端末装置。
【請求項６】
前記重力の検出方向が変化していない場合、前記撮像部は前記ユーザの顔の映像を撮影しないことを特徴とする請求項１に記載の端末装置。
【請求項７】
前記重力の検出方向が変化していない場合、前記画像の表示の向きを変更しないことを特徴とする請求項１に記載の端末装置。
【請求項８】
前記向き判定部は、前記ユーザの両目の位置に基づいて前記顔の向きを判定することを特徴とする請求項１に記載の端末装置。
【請求項９】
前記向き判定部は、前記ユーザの白目および黒目の位置に基づいて前記顔の向きを判定することを特徴とする請求項１に記載の端末装置。
【請求項１０】
前記向き判定部は、前記ユーザがかけているメガネの形状に基づいて前記顔の向きを判定することを特徴とする請求項１に記載の端末装置。
【請求項１１】
前記向き判定部は、前記ユーザの顔認識を行い、該顔認識の結果に基づいて前記顔の向きを判定することを特徴とする請求項１に記載の端末装置。
【請求項１２】
端末装置の所定の座標系における重力の方向を検出する重力方向検出ステップと、
表示部に平行な重力の検出方向の変化を検出する変化検出ステップと、
ユーザの顔の映像を撮影する撮像ステップと、
前記撮像ステップで撮影したユーザの顔の映像に基づいて、前記端末装置を基準としたユーザの顔の向きを判定する向き判定ステップと、
前記変化検出ステップによる検出結果と前記向き判定ステップによる判定結果に基づいて、前記表示部に表示された画像の表示の向きを制御する表示制御ステップと、
を備えることを特徴とする表示制御方法。
【請求項１３】
請求項１２に記載の表示制御方法をコンピュータに実行させることを特徴とするコンピュータプログラム。
【手続補正２】
【補正対象書類名】明細書
【補正対象項目名】０００９
【補正方法】変更
【補正の内容】
【０００９】
上記課題を解決する為に、本発明の第１の技術手段は、表示部と、端末装置の所定の座標系における重力の方向を検出する重力方向検出部と、前記表示部に平行な重力の検出方向の変化を検出する変化検出部と、ユーザの顔の映像を撮影する撮像部と、前記撮像部で撮影したユーザの顔の映像に基づいて、前記端末装置を基準としたユーザの顔の向きを判定する向き判定部と、前記変化検出部による検出結果と前記向き判定部による判定結果に基づいて、前記表示部に表示された画像の表示の向きを制御する表示制御部と、を備えることを特徴とする。
本発明の第２の技術手段は、第１の技術手段において、前記向き判定部による判定結果が、前記端末装置を基準として前記ユーザの顔の向きが変化していると判定されたとき、前記画像の表示の向きを変更することを特徴とする。
本発明の第３の技術手段は、第１の技術手段において、前記向き判定部による判定結果が、前記端末装置を基準として前記ユーザの顔の向きが変化していないと判定されたとき、前記画像の表示の向きを変更しないことを特徴とする。
【手続補正３】
【補正対象書類名】明細書
【補正対象項目名】００１０
【補正方法】変更
【補正の内容】
【００１０】
本発明の第４の技術手段は、第１の技術手段において、前記向き判定部が前記ユーザの顔の認識に成功しなかった場合、前記撮像部の動作を停止することを特徴とする。
本発明の第５の技術手段は、第１の技術手段において、前記向き判定部が前記ユーザの顔の認識に成功しなかった場合、前記表示制御部は、前記変化検出部による検出結果と前記向き判定部による判定結果に基づいた、前記画像の表示の向きを制御しないことを特徴とする。
本発明の第６の技術手段は、第１の技術手段において、前記重力の検出方向が変化していない場合、前記撮像部は前記ユーザの顔の映像を撮影しないことを特徴とする。
本発明の第７の技術手段は、第１の技術手段において、前記重力の検出方向が変化していない場合、前記画像の表示の向きを変更しないことを特徴とする。
【手続補正４】
【補正対象書類名】明細書
【補正対象項目名】００１１
【補正方法】変更
【補正の内容】
【００１１】
本発明の第８の技術手段は、第１の技術手段において、前記向き判定部は、前記ユーザの両目の位置に基づいて前記顔の向きを判定することを特徴とする。
【手続補正５】
【補正対象書類名】明細書
【補正対象項目名】００１２
【補正方法】変更
【補正の内容】
【００１２】
本発明の第９の技術手段は、第１の技術手段において、前記向き判定部は、前記ユーザの白目および黒目の位置に基づいて前記顔の向きを判定することを特徴とする。
【手続補正６】
【補正対象書類名】明細書
【補正対象項目名】００１３
【補正方法】変更
【補正の内容】
【００１３】
本発明の第１０の技術手段は、第１の技術手段において、前記向き判定部は、前記ユーザがかけているメガネの形状に基づいて前記顔の向きを判定することを特徴とする。
【手続補正７】
【補正対象書類名】明細書
【補正対象項目名】００１４
【補正方法】変更
【補正の内容】
【００１４】
本発明の第１１の技術手段は、第１の技術手段において、前記向き判定部は、前記ユーザの顔認識を行い、該顔認識の結果に基づいて前記顔の向きを判定することを特徴とする。
本発明の第１２の技術手段は、端末装置の所定の座標系における重力の方向を検出する重力方向検出ステップと、表示部に平行な重力の検出方向の変化を検出する変化検出ステップと、ユーザの顔の映像を撮影する撮像ステップと、前記撮像ステップで撮影したユーザの顔の映像に基づいて、前記端末装置を基準としたユーザの顔の向きを判定する向き判定ステップと、前記変化検出ステップによる検出結果と前記向き判定ステップによる判定結果に基づいて、前記表示部に表示された画像の表示の向きを制御する表示制御ステップと、を備えることを特徴とする。
本発明の第１３の技術手段は、第１２の技術手段をコンピュータに実行させることを特徴とするコンピュータプログラムであることを特徴とする。